(57)【要約】【課題】振動基板を挟むように二本の梁部を線対称に突出させた構成を備えた圧電振動素子をパッケージ内に片持ち支持する場合に、両梁部の適所をパッケージに固定することによって固定部と振動基板との間に梁部を介在させて、固定部で発生する支持応力が振動基板に影響を与えないようした。【解決手段】表面実装用基板４に片持ち支持された圧電振動素子（圧電基板１０、励振電極４５）２を備え、圧電基板１０は振動基板１１と、支持部２０と、固定部３０と、を有し、支持部は振動基板を挟むように離間して配置された二つの梁部２１と、各梁部と振動基板とを連結する連結部２５と、を有し、固定部は支持部の特定部位に設けられており、固定部よりも圧電基板の自由端寄りの支持部の特定部位と対向する表面実装基板面に第１の凸部５０を設けた。【選択図】図１
2011040981.tif 000002
【特許請求の範囲】
【請求項１】
基板と、該基板の一主面に片持ち梁状に支持され、且つ表裏関係にある二つの主面を備
えた厚み滑り振動する圧電基板と、該圧電基板の両主面上に形成された励振電極と、を備
えた圧電デバイスであって、
前記圧電基板は、振動領域を有する振動基板と、前記振動基板の一端部寄り位置に固定
されて該振動基板を片持ち梁状に支持する支持部と、前記支持部を前記基板に固定するた
めの固定部と、を有し、
前記支持部は、前記主面と平行な面内で前記振動基板を挟むように、前記振動基板から
離間して配置された二つの梁部と、前記各梁部と前記振動基板とを連結する連結部と、を
有し、
前記連結部は、前記主面と平行な面内で前記振動基板の重心を通る一つの中心線を境に
して二分した分割領域のうち、いずれか一方の前記分割領域内にある前記振動基板の一端
部寄り部位にあり、
前記梁部は、前記一方の分割領域から他方の前記分割領域内に向けて延在した構成を有
し、
前記固定部は、前記他方の分割領域内に位置する前記支持部の特定部位に設けられてお
り、
前記固定部よりも前記圧電基板の自由端寄りの前記支持部の特定部位と対向する前記基
板の一主面に第１の凸部を設けたことを特徴とする圧電デバイス。
【請求項２】
前記第１の凸部を、前記各梁部の特定部位と対向する前記基板の一主面に設けたことを
特徴とする請求項１に記載の圧電デバイス。
【請求項３】
基板と、該基板の一主面に片持ち梁状に支持され、且つ表裏関係にある二つの主面を備
えた厚み滑り振動する圧電基板と、該圧電基板の両主面上に形成された励振電極と、を備
えた圧電デバイスであって、
前記圧電基板は、振動領域を有する振動基板と、前記振動基板の一端部寄り位置に固定
されて該振動基板を片持ち梁状に支持する支持部と、前記支持部を前記基板に固定するた
めの固定部と、を有し、
前記支持部は、前記主面と平行な面内で前記振動基板を挟むように、前記振動基板から
離間して配置された二つの梁部と、前記各梁部と前記振動基板とを連結する連結部と、を
有し、
前記連結部は、前記主面と平行な面内で前記振動基板の重心を通る一つの中心線を境に
して二分した分割領域のうち、いずれか一方の前記分割領域内にある前記振動基板の一端
部寄り部位にあり、
前記梁部は、前記一方の分割領域から他方の前記分割領域内に向けて延在した構成を有
し、
前記固定部は、前記他方の分割領域内に位置する梁部の部位に設けられており、
前記固定部よりも前記圧電基板の自由端寄りの前記支持部の部位に第１の凸部を設けた
ことを特徴とする圧電デバイス。
【請求項４】
前記第１の凸部を、前記基板の一主面と対向する前記各梁部の特定部位に設けたことを
特徴とする請求項１乃至３の何れか一項に記載の圧電デバイス。
【請求項５】
前記基板には、前記振動基板の自由端と対向する部分に第２の凸部を備えたことを特徴
とする請求項１乃至４の何れか一項に記載の圧電デバイス。
【請求項６】
前記第１の凸部を、前記第２の凸部と前記連結部との間の領域内に位置する前記梁部の
部位と対向する前記基板の一主面に配置したことを特徴とする請求項５に記載の圧電デバ
イス。
【請求項７】
前記第１の凸部を、前記第２の凸部と前記連結部との間の領域内に位置する前記梁部の
部位に配置したことを特徴とする請求項５に記載の圧電デバイス。
【請求項８】
前記各梁部の基端部間を連結することにより、前記支持部は環状をなしていることを特
徴とする請求項１乃至７の何れか一項に記載の圧電デバイス。
【請求項９】
前記各梁部の基端部は、前記振動基板の両側縁に沿って延びて前記重心を越えた位置で
終端していることを特徴とする請求項１乃至７の何れか一項に記載の圧電デバイス。
【発明の詳細な説明】
【技術分野】
【０００１】
本発明は、振動基板の一端縁寄りの部位から二本のアーム状の梁部を対称に突出させた
基板構成を備えた圧電振動素子を片持ち支持した構造の圧電デバイスの改良に関し、特に
表面実装用基板上に圧電振動素子を接着固定した場合に衝撃等によって発生し易い梁部の
折損を解決することができる圧電デバイスに関する。
【背景技術】
【０００２】
水晶振動素子等の圧電振動素子は、水晶振動子（圧電振動子）、水晶発振器（圧電発振
器）等の圧電デバイスに組み込まれて使用される。圧電振動素子は、目標とする共振周波
数を得る為に好適な肉厚の振動部を有した圧電基板に励振電極やリード端子等を構成する
金属膜を蒸着等によって形成した構成を備えている。
表面実装型の圧電振動子は、セラミック等の絶縁材料から成るパッケージの凹所内に素
子搭載パッドを設け、この素子搭載パッド上に塗布した導電性接着剤により圧電振動素子
の一端部を接着して片持ち梁状態で支持してから、パッケージ凹所を金属蓋等のリッドに
より気密封止した構成を有している。
ところで、表面実装型圧電振動子の小型化、低背化が進むに連れてパッケージ凹所内に
おける圧電振動素子の収納スペースが減少し、素子搭載パッド上に接続固定された圧電振
動素子の一端部とは反対側の自由端部と凹所内底面との間のギャップ、或いは圧電振動素
子の自由端部とリッドとの間のギャップが狭小化し易くなっている。
このようにパッケージの小容積化が進む中で、従来のように圧電振動素子面が凹所内底
面と平行な水平姿勢となるように、或いは自由端部がリッド側に上向き傾斜するように搭
載しようとすると、搭載時の搭載角度の僅かな上下方向への傾斜、導電性接着剤の硬化時
の応力による影響等によって圧電振動素子の自由端部が凹所内底面、或いはリッド下面に
接触し、圧電振動素子の共振周波数が変動するという不具合があった。また、完成品とし
ての圧電デバイスに落下衝撃が加わった時にも圧電振動素子は振動して面方向へ撓みを起
こすが、このとき圧電振動素子の自由端部がパッケージ内底面、或いはリッドに衝突する
と、その瞬間に振動数が変化してずれを起こしたり、破損する虞がある。
【０００３】
特許文献１には、短冊状の圧電基板の中央部に設けた励振電極膜の外周にコ字状のスリ
ットをくり抜き形成することにより、励振電極膜を備えた振動基板と、該振動基板の両側
方に夫々離間した細幅の腕部を形成し、この振動基板の一端を自由端とすると共に振動基
板の両端部に向けて夫々励振電極膜からリード端子を導出した応力フリータイプの圧電振
動素子が開示されている。圧電振動素子の一端部だけをパッケージに設けた素子搭載パッ
ド上に接着剤により固定する片持ち梁状の支持を行った際に固定部から振動基板の振動部
に伝達されようとする支持応力をスリットにより遮断、緩和することができるため、圧電
振動素子をパッケージに固定する際や、圧電振動素子をパッケージ内に封止する際の応力
、温度変化、外力に対して周波数の安定度を高めることができる旨が記載されている。
また、特許文献２には、圧電振動素子をパッケージ内に片持ち支持した際に、支持部に
て発生する支持応力が励振部に伝達されることを防止するために圧電振動素子にスリット
を設けた構成が開示されている。
しかし、特許文献１、２に開示された従来技術にあっては、スリットの存在によって圧
電基板に形成される幅の細い部位の機械的強度が低下しているため、落下等による衝撃が
加わった際に細くなった部分が折れやすいという欠点がある。特に、衝撃によって捻り方
向へ圧電振動素子が変形し易いため、幅の細い部分が更に折れ易くなる。
特許文献３には、パッケージ内に片持ち支持した圧電振動素子の自由端部と対面するパ
ッケージ内底面部分に枕部材を突設することにより、衝撃によって圧電振動素子がその厚
み方向に振れた際に枕部材との接触によって衝撃を吸収緩和して耐衝撃性を向上するよう
にした技術が開示されている。
特許文献１、２に示したスリットを有した応力フリータイプの圧電振動素子の耐衝撃性
を高めつつ、薄型化されたパッケージ内に収納可能とするために、パッケージ内に片持ち
支持した圧電振動素子の振動基板の自由端部に対応するパッケージ部位に特許文献３に開
示された如き枕部材を突出させることも考えられる。
【０００４】
しかし、薄型化されたパッケージ内において、圧電振動素子の振動基板の自由端部と枕
部材との間に微小間隔を保持しつつ支持することは難しく、振動基板が枕部材と常時接触
した状態になると、モリブデン等の金属材料から成る枕部材との間の熱膨張係数の違い等
によって接触部から振動基板に対して新たな応力が加わってその周波数を変動させる虞が
ある。また、パッケージに枕部材を設けた場合には、製造段階において、振動基板の自由
端部が枕部材と常時接触することがないように適切な間隔を確保するために厳密なギャッ
プコントロールが必要となり、製造手数の増大、不良品発生率の増大、生産性の低下をも
たらす虞がある。
つまり、折角、パッケージと圧電振動素子との固定部からの支持応力を解消する構造の
圧電振動素子を用いながら、枕部材との間の接触部からの応力により共振周波数に変動が
もたらさせるのでは、応力フリータイプとする意味が薄まる。
従って、パッケージの薄型化に対応しながら、特許文献１、２に開示されたスリットを
備えた圧電振動素子の耐衝撃性を高めることはこれまで極めて難しいとされていた。
【先行技術文献】
【特許文献】
【０００５】
【特許文献１】特開平０５−２２６９６３号公報
【特許文献２】特開平０９−３２６６６７号公報
【特許文献３】特開平０３−８８３７３号公報
【発明の概要】
【発明が解決しようとする課題】
【０００６】
以上のように短冊状の圧電基板の両主面の中央部に設けた励振電極膜の外周側にコ字状
のスリットを貫通形成することにより、励振電極膜を備えた振動基板と、振動基板の両側
方に対称形状となるように離間配置された２つの細幅の腕部と、を形成した応力フリータ
イプの圧電振動素子にあっては、振動基板の自由端部とは反対側の基端部をパッケージに
接着して片持ち支持した場合に、衝撃によって腕部が破損し易くなるという問題があった
。また、このタイプの圧電振動素子の耐衝撃性を高めるために、圧電振動素子の自由端部
と対面するパッケージ部位に枕部材を突設することも考えられるが、この場合には周波数
の変動を防止するために両者を非接触に保持する必要がある。しかし、薄型化されたパッ
ケージ内で圧電振動素子の自由端部と枕部材との間のギャップを厳密にコントロールする
ことは難しく、生産性の低下を招く原因となっていた。
【０００７】
本発明は上記に鑑みてなされたものであり、圧電基板の一端縁寄りの部位から振動基板
を挟むように二本のアーム状の梁部を線対称に突出させた構成を備えた応力フリータイプ
の圧電振動素子を表面実装用のパッケージ内に片持ち支持する場合に、従来のように振動
基板の自由端部とは反対側の基端部をパッケージに接着固定するのではなく、振動基板か
ら十分に離間した両梁部（支持部）の適所をパッケージに固定することによって固定部と
振動基板との間に梁部を介在させて、固定部で発生する支持応力が振動基板に影響を与え
ないように構成した圧電デバイスを提供することを目的としている。
また、圧電振動素子の自由端部と対面するパッケージ面に枕部材を配置した場合に、振
動基板と枕部材との厳密なギャップコントロールを不要として生産性を高めることを目的
としている。
【課題を解決するための手段】
【０００８】
本発明は、上記の課題の少なくとも一部を解決するためになされたものであり、以下の
形態又は適用例として実現することが可能である。
【０００９】
［適用例１］本発明に係る圧電デバイスは、基板と、該基板の一主面に片持ち梁状に支
持され、且つ表裏関係にある二つの主面を備えた厚み滑り振動する圧電基板と、該圧電基
板の両主面上に形成された励振電極と、を備えた圧電デバイスであって、前記圧電基板は
、振動領域を有する振動基板と、前記振動基板の一端部寄り位置に固定されて該振動基板
を片持ち梁状に支持する支持部と、前記支持部を前記基板に固定するための固定部と、を
有し、前記支持部は、前記主面と平行な面内で前記振動基板を挟むように、前記振動基板
から離間して配置された二つの梁部と、前記各梁部と前記振動基板とを連結する連結部と
、を有し、前記連結部は、前記主面と平行な面内で前記振動基板の重心を通る一つの中心
線を境にして二分した分割領域のうち、いずれか一方の前記分割領域内にある前記振動基
板の一端部寄り部位にあり、前記梁部は、前記一方の分割領域から他方の前記分割領域内
に向けて延在した構成を有し、前記固定部は、前記他方の分割領域内に位置する前記支持
部の特定部位に設けられており、前記固定部よりも前記圧電基板の自由端寄りの前記支持
部の特定部位と対向する前記基板の一主面に第１の凸部を設けたことを特徴とする。
【００１０】
従来の支持応力フリータイプの圧電振動素子を備えた圧電デバイスにあっては、振動基
板の自由端部とは反対側の端部に固定部を設けていた。このため、基板と圧電基板との固
定部が振動基板の振動領域と直近となっており、固定部からの支持応力が振動領域に影響
を与えて共振周波数に影響を与えることがあった。本発明では、振動基板の自由端部寄り
の支持部に固定部を設けたので、固定部と振動領域との間に支持応力をキャンセルするに
十分な距離を確保することができる。固定部は、他方の分割領域内に位置する支持部の特
定部位に設けることにより、振動領域への悪影響を回避することができる。また、第１の
凸部を基板側に設けて圧電基板の自由端寄りの支持部と対向配置することにより、仮に支
持部が第１の凸部に接触したとしても接触部からの応力が振動領域に伝搬されて共振周波
数を変動させる不具合を解消することができる。また、支持部を第１の凸部に接触させた
状態での組付けが可能となることにより、組付け手数を低減して生産性を向上できる。ま
た、支持部を第１の凸部と常時接触させることにより、圧電振動素子をパッケージ等に収
納する際にパッケージの薄型化を達成することが可能となる。
【００１１】
［適用例２］本発明に係る圧電デバイスは、適用例１において、前記第１の凸部を、前
記各梁部の特定部位と対向する前記基板の一主面に設けたことを特徴とする。
【００１２】
第１の凸部を配置する位置として、支持部を構成する梁部の特定部位と対向する基板の
一主面を選定することにより、梁部と第１の凸部との接触部からの応力が振動領域に伝搬
することを確実に防止することが可能となる。
【００１３】
［適用例３］本発明に係る圧電デバイスは、基板と、該基板の一主面に片持ち梁状に支
持され、且つ表裏関係にある二つの主面を備えた厚み滑り振動する圧電基板と、該圧電基
板の両主面上に形成された励振電極と、を備えた圧電デバイスであって、前記圧電基板は
、振動領域を有する振動基板と、前記振動基板の一端部寄り位置に固定されて該振動基板
を片持ち梁状に支持する支持部と、前記支持部を前記基板に固定するための固定部と、を
有し、前記支持部は、前記主面と平行な面内で前記振動基板を挟むように、前記振動基板
から離間して配置された二つの梁部と、前記各梁部と前記振動基板とを連結する連結部と
、を有し、前記連結部は、前記主面と平行な面内で前記振動基板の重心を通る一つの中心
線を境にして二分した分割領域のうち、いずれか一方の前記分割領域内にある前記振動基
板の一端部寄り部位にあり、前記梁部は、前記一方の分割領域から他方の前記分割領域内
に向けて延在した構成を有し、前記固定部は、前記他方の分割領域内に位置する梁部の部
位に設けられており、前記固定部よりも前記圧電基板の自由端寄りの前記支持部の部位に
第１の凸部を設けたことを特徴とする。
【００１４】
基板側に第１の凸部を設ける代わりに、基板の一主面と対向する支持部の適所に第１の
凸部を配置することにより、支持部側に設けた第１の凸部に枕部材としての機能を発揮さ
せるようにしてもよい。圧電振動素子を基板の一主面に固定する際における組付け手数の
低減と、パッケージの薄型化を達成することが可能となる。
【００１５】
［適用例４］本発明に係る圧電デバイスは、前記第１の凸部を、前記基板の一主面と対
向する前記各梁部の特定部位に設けたことを特徴とする。
【００１６】
第１の凸部を配置する位置を支持部を構成する梁部に選定することにより、第１の凸部
と基板との接触部から振動領域が十分に離間することとなり、振動領域への影響を回避す
ることができる。支持部側に設けた第１の凸部を表面実装基板側に設けた第１の凸部と対
面、接触させるように構成してもよい。
【００１７】
［適用例５］本発明に係る圧電デバイスでは、前記基板には、前記振動基板の自由端と
対向する部分に第２の凸部を備えたことを特徴とする。
【００１８】
圧電デバイスの落下時等に圧電振動素子に加わる衝撃によって圧電振動素子が捻れ方向
に変形すると、いずれか一方の第１の凸部と圧電振動素子との接触部を支点として応力が
発生し、梁部、或いは振動基板が折損する虞がある。本発明では、振動基板の変形時にそ
の自由端と接触して応力を緩衝する第２の凸部を設けたので、折損の発生を防止できる。
【００１９】
［適用例６］本発明に係る圧電デバイスは、前記第１の凸部を、前記第２の凸部と前記
連結部との間の領域内に位置する前記梁部の部位と対向する前記基板の一主面に配置した
ことを特徴とする。
【００２０】
第１の凸部の設置箇所は、梁部の先端部よりも第２の凸部寄りの部位と対向する基板
の一主面に設けてもよい。
【００２１】
［適用例７］本発明に係る圧電デバイスは、前記第１の凸部を、前記第２の凸部と前記
連結部との間の領域内に位置する前記梁部の部位に配置したことを特徴とする。
【００２２】
第１の凸部の設置箇所は、梁部の先端部よりも第２の凸部寄りの部位に設けてもよい
。
【００２３】
［適用例８］本発明に係る圧電デバイスは、前記各梁部の基端部間を連結することによ
り、前記支持部は環状をなしていることを特徴とする。
【００２４】
［適用例９］本発明に係る圧電デバイスは、前記各梁部の基端部は、前記振動基板の両
側縁に沿って延びて前記重心を越えた位置で終端していることを特徴とする。
【図面の簡単な説明】
【００２５】
【図１】（ａ）乃至（ｄ）は本発明に係る圧電デバイスの一例としての水晶振動子の外観斜視図、縦断面図、要部平面図、及び水晶振動素子の構成を示す斜視図である。
【図２】（ａ）及び（ｂ）はパッケージ本体の平面図、及びパッケージの正面縦断面図である。
【図３】（ａ）乃至（ｄ）は何れも本発明の他の実施形態に係る水晶振動素子の構成を示す平面図である。
【図４】（ａ）（ｂ）及び（ｃ）は本発明の他の実施形態に係る圧電デバイスとしての水晶振動子（圧電振動子）の要部平面図、水晶振動素子が水平搭載された状態を示す要部縦断面図、及び水晶振動素子が斜め搭載された状態を示す要部縦断面図である。
【図５】（ａ）及び（ｂ）は本発明の他の実施形態に係る水晶振動子の構成を示す縦断面図、及び要部平面図である。
【図６】（ａ）及び（ｂ）は本発明の他の実施形態に係る水晶振動子の縦断面図、及び要部平面図である。
【発明を実施するための形態】
【００２６】
以下、本発明に係る圧電デバイスについて詳細に説明する。
図１（ａ）乃至（ｄ）は本発明に係る圧電デバイスの一例としての水晶振動子の外観斜
視図、縦断面図、要部平面図、及び水晶振動素子の構成を示す斜視図であり、図２（ａ）
及び（ｂ）はパッケージ本体の平面図、及びパッケージの正面縦断面図である。
本例に係る圧電デバイス１は、水晶振動子（圧電振動子）であり、水晶振動子１は、表
面実装用のパッケージ３内に水晶振動素子２を片持ち支持した構成を備えている。
パッケージ３は、セラミック等の絶縁材料から成り上面に凹所４ａを有すると共に底面
に実装端子４ｂを備えたパッケージ本体（表面実装用基板）４と、パッケージ本体４の凹
所外周（コバール壁）の上面に固定されて凹所を封止するリッド５と、を概略備えている
。
水晶振動素子２は、表裏関係にある二つの主面、及び二つの主面を連結する側面を備え
た厚み滑り振動する短冊状の水晶基板（圧電基板）１０と、水晶基板１０の両主面上に夫
々形成された励振電極４５、及び各励振電極４５から引き出されたリード端子４６と、を
備えている。
【００２７】
水晶基板１０は、振動領域１１ａを有する振動基板１１と、振動基板１１の基端部１１
Ａ寄り位置に固定されて振動基板１１を片持ち梁状に支持する支持部２０と、支持部２０
をパッケージ本体４の内底面に設けた素子搭載パッド６上に導電性接着剤７を用いて固定
するための固定部３０と、を有する。即ち、水晶基板１０は、中央部に励振電極４５を備
えた振動領域１１ａの外周にコ字状にスリット１２を形成することによって、矩形の振動
基板１１と、振動基板１１の基端部１１Ａ寄りの適所から線対称に延びて振動基板１１を
挟むように離間配置された支持部２０と、を形成し、支持部２０の一端寄りの特定部位を
素子搭載パッド６上に固定される固定部３０としている。
水晶基板１０は、短冊状の水晶基材をエッチングによって加工することによって図示の
如き形状に形成される。
支持部２０は、水晶基板１０の主面と平行な面内で振動基板１１を挟むように、振動基
板から離間して配置された細幅帯状の二本の梁部２１と、各梁部２１と振動基板１１の基
端部１１Ａとを連結する連結部２５と、を有する。各梁部２１は、水晶基板の重心Ｃを通
る対称軸Ｌ１を中心として互いに線対称となるように、振動基板１１の両側方に位置して
いる。
連結部２５は、水晶基板１０の主面と平行な面内で振動基板１１の重心Ｃを通る一つの
中心線Ｌ２を境にして二分した分割領域Ｔ１、Ｔ２のうち、いずれか一方の分割領域Ｔ１
内にある振動基板の端縁（基端部１１Ａ）寄りの部位に位置している。本例における中心
線Ｌ２は、梁部２１の延びる方向と直交する方向であるが、中心Ｃを通り且つ水晶基板の
主面と平行な面内を通る直線であれば、どのような方向へ延びる直線であってもよい。
【００２８】
各梁部２１は、基端部２１ａが他方の分割領域Ｔ２内に位置し、各梁部２１の先端部２
１ｂは一方の分割領域Ｔ１内に位置しており、固定部３０は、他方の分割領域Ｔ２内に位
置する梁部の特定部位に設けられている。本例に係る各梁部２１は、その基端部２１ａ、
及び先端部２１ｂが夫々Ｌ字状に屈曲したコ字状をなしている。本例では、２つの梁部２
１はその基端部２１ａ間を連結梁部２２によって連結され、且つ先端部２１ｂ間を連結部
２５により連結されているので、支持部２０は全体として矩形環状をなしている。固定部
３０は各梁部２１の基端部２１ａに相当する部位に設けられており、各固定部３０には、
表裏の励振電極４５から延びる各リード端子４６の端部４６ａが位置しているため、各素
子搭載パッド６に対して導電性接着剤７によって電気的機械的に接続することができる。
本例の水晶振動素子２にあっては、各固定部３０と振動基板１１の振動領域１１ａとの間
には長尺な梁部２１と連結部２５が位置しており、固定部３０をパッケージに固定した場
合の支持応力が振動領域１１ａに及ぼす影響が大幅に減殺されるように構成されている。
【００２９】
更に、本発明においては、支持部２０の適所と対面するパッケージ部位に枕部材として
機能する第１の凸部５０を設けている構成も特徴的である。即ち、本例では、固定部３０
よりも振動基板の基端部１１Ａ寄りの梁部２１の特定部位と対向するパッケージ内底面（
表面実装基板面）に第１の凸部（枕部材）５０を設けている。第１の凸部５０は、固定部
３０を素子搭載パッド６上に接着固定した際に水晶振動素子の自由端部（固定側端部２ａ
とは反対の反端側端）２ｂが下向きに傾斜し過ぎないように梁部２１の適所と接触するス
トッパーとして機能する突起である。
第１の凸部５０は、セラミック等から成るパッケージを焼成する前に、パッケージ内底
面に相当する部分にスクリーン印刷によって予め印刷されるモリブデン、タングステン等
の金属から構成される。水晶振動素子２を素子搭載パッド６上に固定する際には、水晶と
金属との熱膨張係数差に起因して水晶基板に歪みが発生することを避けるため、梁部２１
（支持部２０）は可能な限り第１の凸部５０と離間していることが好ましいが、仮に梁部
２１が第１の凸部５０と接触した状態で水晶振動素子が固定されたとしても、第１の凸部
と梁部２１との接触部は振動基板の振動領域１１ａから十分に離間しているため、接触部
からの応力が振動領域１１ａの共振周波数を変動させることはない。このように本発明に
おいては水晶振動素子を枕部材としての第１の凸部５０と接触させた状態でパッケージを
気密封止して製品を完成させることができるため、水晶振動素子を接着する際に第１の凸
部との間のギャップコントロールを精密に行う必要がなくなり、生産性を高めることが可
能となる。
【００３０】
なお、本例では、梁部２１の先端部（固定部３０から最も離間した部位）２１ｂに相当
するパッケージ部位に第１の凸部５０を突設した例を示したが、各梁部２１の先端部より
も固定部３０寄りの部位に相当するパッケージ部位に第１の凸部５０（図１（ｂ）中に破
線図示）を設けたとしても、第１の凸部５０と梁部との接触部からの接触応力が振動領域
１１ａに伝搬することをキャンセルする効果を十分に発揮することができる。つまり、第
１の凸部５０と梁部との接触部からの接触応力は、梁部及び連結部２５で完結し、振動領
域１１ａに伝搬することがない。但し、第１の凸部５０を各梁部２１に対応するパッケー
ジ部位に夫々設ける場合には、各第１の凸部５０の位置は、各梁部２１の長手方向に沿っ
た同一位置となるようにする。このように各梁部２１の長手方向同一位置にある第１の凸
部５０の緩衝作用によって、水晶振動子１に衝撃が加わった際における各梁部の折損を効
果的に防止することができる。
なお、連結部２５の中間部と対面するパッケージ部位に第１の凸部５０を一個だけ設け
ても、同様に連結部と第１の凸部５０との接触部に発生する応力が振動領域１１ａに与え
る影響を少なくすることができる。
要するに、パッケージ側（表面実装用基板側）に設ける第１の凸部５０は、水晶振動素
子２の支持部２０を構成する各梁部２１の任意の部位と対向する位置、或いは連結部２５
の任意の部位と対向する位置に設けることができる。
【００３１】
以上のように支持部２０の適所と対面するパッケージ部位に第１の凸部５０を設けたこ
とにより、水晶振動素子２をパッケージに搭載する際に水晶振動素子と第１の凸部５０と
の接触の有無、ギャップを厳密にコントロールする必要がなくなる。特に、水晶振動素子
を第１の凸部と接触させても支障がないため、パッケージの薄型化を実現することができ
る。即ち、水晶振動素子を第１の凸部５０と接触させないために水晶振動素子は水平に（
パッケージ内底面と平行に）搭載するが、水平搭載を意図した場合であっても実際にはそ
の自由端部はパッケージ内底面側、或いはリッド側の何れかに傾いて固定されることがあ
る。この搭載角度のバラツキを予め考慮してパッケージの内部高さは大きめに設計されて
いるが、水晶振動素子が第１の凸部５０と接触してもよいことになれば、リッド側への傾
斜を全く考慮する必要がなくなり、パッケージを薄型化することができ、水晶振動子をよ
り低背化することができる。
【００３２】
次に、図３（ａ）（ｂ）（ｃ）及び（ｄ）は何れも本発明の他の実施形態に係る水晶振
動素子の構成を示す平面図である。
まず、図３（ａ）の水晶振動素子２は、連結部２５を間に挟んで振動基板１１と反対側
に突出部２６を備えた構成を有している。換言すれば、振動基板１１の基端部側の両側縁
から夫々Ｌ字状に梁部２１を突出させた構成を有している。要するに、梁部２１の先端部
２１ｂの位置は図１の実施形態のように振動基板の基端縁と同等の位置であってもよいし
、図３（ａ）のように振動基板の基端縁よりも自由端部１１Ｂ寄りの両側縁であってもよ
い。このように構成した水晶振動素子２の支持部２０の一部、例えば両梁部２１の基端部
２１ａを固定部３０としてパッケージに接着固定して片持ち梁状に支持した場合には、固
定部３０からの支持応力が振動基板の振動領域１１ａに影響を及ぼすことが無く、共振周
波数の変動は発生しなかった。また、固定部３０よりも振動基板の基端部１１Ａ寄りの梁
部２１の特定部位と対向するパッケージ内底面（表面実装基板面）に第１の凸部（枕部材
）５０を設けることにより、第１の凸部と水晶基板の自由端部とが接触した場合であって
も、接触部からの応力が振動領域１１ａに悪影響（共振周波数の変動）を及ぼすことがな
いことが確認できた。
【００３３】
次に、図３（ｂ）の水晶振動素子２は、連結部２５の幅を振動基板１１の基端部１１Ａ
の幅よりも狭くしている。換言すれば、水晶基板面に形成したコ字状のスリット１２の２
つの端部をＬ字状に屈曲させることにより、幅の狭い連結部２５を形成した構成を備えて
いる。このように構成した水晶振動素子２の支持部２０の一部、例えば両梁部２１の基端
部２１ａをパッケージに接着固定して片持ち梁状に支持した場合には、固定部３０からの
支持応力が振動基板の振動領域１１ａに影響を及ぼすことは無く、共振周波数の変動は発
生しなかった。また、固定部３０よりも振動基板の基端部１１Ａ寄りの梁部２１の特定部
位と対向するパッケージ内底面（表面実装基板面）に第１の凸部（枕部材）５０を設ける
ことにより、第１の凸部と水晶基板の自由端部とが接触した場合であっても、接触部から
の応力が振動領域１１ａに悪影響を及ぼすことがないことが確認できた。
【００３４】
次に、図３（ｃ）の水晶振動素子２は、梁部２１の形状が前記各実施形態の梁部と異な
っている。即ち、前記各実施形態の支持部２０は、２本の梁部２１の基端部２１ａ間が連
結梁部２２によって連結された略コ字状をなしているのに対して、本実施形態では各梁部
２１の基端部２１ａ間は連結されておらず、各梁部の基端部２１ａは自由端状に終端して
いる。本実施形態に係る水晶振動素子２では、支持部２０の一部、本例では各梁部の基端
部２１ａをパッケージに固定する固定部３０としている。このように構成した水晶振動素
子２の支持部２０の一部、例えば両梁部２１の基端部２１ａをパッケージに接着固定して
片持ち梁状に支持した場合には、固定部３０からの支持応力が振動基板の振動領域１１ａ
に影響を及ぼすことは無く共振周波数の変動は発生しなかった。また、固定部３０よりも
振動基板の基端部１１Ａ寄りの梁部２１の特定部位と対向するパッケージ内底面（表面実
装基板面）に第１の凸部（枕部材）５０を設けることにより、第１の凸部と水晶基板の自
由端部とが接触した場合であっても、接触部からの応力が振動領域１１ａに悪影響を及ぼ
すことがないことが確認できた。
【００３５】
また、図３（ｃ）の水晶振動素子２において、破線で示すように連結部２５を間に挟ん
で振動基板１１と反対側に突出部２６を設けた場合にも、突出部２６が存在しない場合と
同様の作用効果を得ることができた。
次に、図３（ｄ）に係る水晶振動素子２は、図１において説明した水晶基板１０の主面
と平行な面内で振動基板１１の重心Ｃを通る一つの中心線Ｌ２を矩形の水晶基板の一つの
対角線に沿った線とし、更に水晶基板１０の一つの角隅部を連結部２５を介して支持部２
０と連結した構成を備えている。なお、この例では支持部２０を図３（ｃ）の支持部と同
様にコ字状にした例を示しているが、図３（ａ）（ｂ）の例のように梁部２１の基端部間
を連結して全体として環状としてもよい。このように構成した水晶振動素子２の支持部２
０の一部、例えば両梁部２１の基端部２１ａをパッケージに接着固定して片持ち梁状に支
持した場合には、固定部３０からの支持応力は振動基板の振動領域１１ａに影響を及ぼす
ことが無く共振周波数の変動は発生しなかった。また、固定部３０よりも振動基板の基端
部１１Ａ寄りの梁部２１の特定部位と対向するパッケージ内底面（表面実装基板面）に第
１の凸部（枕部材）５０を設けることにより、第１の凸部と水晶基板の自由端部とが接触
した場合であっても、接触部からの応力が振動領域１１ａに悪影響を及ぼすことがないこ
とが確認できた。
【００３６】
次に、図４（ａ）（ｂ）及び（ｃ）は本発明の他の実施形態に係る圧電デバイスとして
の水晶振動子（圧電振動子）の要部平面図、水晶振動素子が水平搭載された状態を示す要
部縦断面図、及び水晶振動素子が斜め搭載された状態を示す要部縦断面図である。
この実施形態に係る水晶振動子１は、振動基板１１の自由端１１Ｂと対向（対面）する
パッケージ内底面（表面実装用基板面）の部位に第２の凸部５１（図３を参照）を備えた
構成が特徴的である。
第２の凸部５１が存在しない場合には、落下衝撃により水晶振動素子が捻れ応力を受け
た時に、２つの第１の凸部５０のうちの一方の第１の凸部５０を支点として梁部２１や振
動基板１１が折れる虞があるが、第２の凸部５１が存在する場合には衝撃によって水晶振
動素子が捻れ方向へ変形しようとしても第２の凸部５１が振動基板１１の自由端１１Ｂと
接触して変形にストップをかけることができるため、梁部、或いは振動基板の折損を防止
できる。
なお、図４（ｂ）に示すように第２の凸部５１は常時において振動基板１１と非接触状
態に保つのが好ましいが、素子搭載パッド６上に水晶振動素子２の一端部を導電性接着剤
７上に乗せて接着するため、導電性接着剤の厚み分だけ水晶振動素子の基端部２ａの高さ
を確保することができる。このため、図４（ｃ）のように水晶振動素子の自由端部２ｂを
第１の凸部５０上に接触させたとしても、図示のように第２の凸部５１と振動基板１１と
の接触を回避することができる。
【００３７】
これを更に詳述すれば、パッケージの製造時には、焼成前にパッケージ内底面（セラミ
ックシート）上にスクリーン印刷によって素子搭載パッド６、第１の凸部５０、及び第２
の凸部５１を構成するモリブデン、タングステン等の金属ペーストを印刷し、これを焼成
によって硬化させる。更に、電界メッキによって、素子搭載パッド６用の金属部分の表面
にだけ、ニッケルメッキ層（約１０μｍ）、金メッキ層（約０．５μｍ）を順次形成する
。このため、素子搭載パッド６の高さは第１及び第２の凸部５０、５１よりも約１０μｍ
高くなっている。ここで、素子搭載パッド６の高さに更に導電性接着剤７の厚み分が加わ
るため、水晶振動素子２の基端部２ａの高さを十分に確保することができ、その結果、振
動基板１１と第２の凸部５１との常時接触を確実に回避することが可能となる。
なお、図４の実施形態では、第１の凸部５０を支持部２０の先端部寄り位置（梁部の先
端部寄り位置）と対向するパッケージ部位に設けた例を示したが、これは一例に過ぎない
。即ち、図４（ａ）中に破線で示すように、第１の凸部５０を、第２の凸部５１と連結部
２５との間の領域内に位置する各梁部２１の特定部位と対向するパッケージ部位に配置し
てもよい。つまり、第１の凸部５０は、支持部２０の先端部寄り位置よりも固定部寄り位
置に配置しても、枕部材としての機能を発揮することができる。
また、図４の実施形態に係る水晶振動子の構造は、図３（ａ）乃至（ｄ）に夫々示した
水晶振動素子の支持構造にも適用することができる。
【００３８】
次に、図５（ａ）及び（ｂ）は本発明の他の実施形態に係る水晶振動子１の構成を示す
縦断面図、及び要部平面図である。
この実施形態に係る水晶振動子１は、第１の凸部５５を、パッケージ内底面（表面実装
用基板面）と対向する支持部２０の特定部位に設けた構成が特徴的である。換言すれば、
第１の凸部５０をパッケージ内底面ではなく、パッケージ内底面と対向する水晶振動素子
の支持部２０に設けたものである。
本例における第１の凸部５５の形成位置としては、各梁部２１の先端部２１ｂに相当す
る部位（二箇所）を例示しているが、梁部の先端部２１ｂ間に位置する連結部２５の下面
に一個設けても良い。
第１の凸部５５を水晶振動素子の支持部２０に形成するには、エッチングによる製造方
法が適している。即ち、水晶基板１０の加工前の母材として支持部２０と第１の凸部５５
とを合わせた厚みを有した水晶板を用意し、この水晶板に所要のマスクを施してエッチン
グを行うことにより、第１の凸部５５に相当する部位を厚く加工する。振動基板１１の振
動領域１１ａについては所望の共振周波数を得るのに必要な肉厚に設定するために十分な
程度にエッチングを行えばよい。例えば、振動基板１１の中央部のみを外周部よりも薄肉
にしたり、或いは中央部を外周部よりも厚肉にする（メサ形）等の任意の加工が可能であ
る。
【００３９】
本実施形態によれば、梁部２１下面の適所、或いは連結部２５の中央部下面に、枕部材
として機能する第１の凸部５５を突設したことにより、仮に第１の凸部５５がパッケージ
内底面に接触した状態で水晶振動素子が固定されたとしても、第１の凸部５５とパッケー
ジ内底面との接触による応力が振動基板の振動領域１１ａに悪影響を及ぼして共振周波数
を変動させる虞がなくなる。このため、水晶振動素子をパッケージに搭載する際のギャッ
プコントロールが不要、或いは容易となり、製造手数を低減して量産性を高めることがで
きる。
なお、連結部２５の中間部に第１の凸部５５を一個だけ設けても、同様に第１の凸部５
５とパッケージ内底面との接触部に発生する応力が振動領域１１ａに与える影響を少なく
することができる。或いは、両梁部２１と連結部２５に跨って延在する長尺の第１の凸部
５５を設けても良い。
なお、図５の実施形態に係る水晶振動子の構造は、図３（ａ）乃至（ｄ）に夫々示した
水晶振動素子の支持構造にも適用することができる。
【００４０】
次に、図６（ａ）及び（ｂ）は本発明の他の実施形態に係る水晶振動子の縦断面図、及
び要部平面図であり、この実施形態では、パッケージ３を構成する表面実装用基板４Ａの
上面に設けた第１の凸部５０と、水晶振動素子２の支持部２０側に設けた第１の凸部５５
を併用している。例えば、表面実装用基板４Ａ側には図１に示したように両梁部２１に対
向する部位に第１の凸部５０を設ける一方で、水晶振動素子には第１の凸部５０と対面す
る位置に第１の凸部５５を設ける。このように構成した結果、水晶振動素子２がパッケー
ジ側に傾斜した際に、第１の凸部５５が第１の凸部５０と接触することとなるが、接触部
の応力は振動領域１１ａに伝搬されることがない。即ち、この場合にも、図１の実施形態
、或いは図５の実施形態と同様な効果を得ることができる。
なお、この実施形態に係るパッケージ３は、平板状の表面実装用基板４Ａの上面を包囲
するように逆椀形のキャップ４Ｂを被せた構成を備えている。上記各実施形態に係る水晶
振動素子はこのタイプのパッケージ３にも適用することができる。
図６の実施形態に係る水晶振動子の構造は、図３（ａ）乃至（ｄ）に夫々示した水晶振
動素子の支持構造にも適用することができる。
【００４１】
以上説明したように本発明の圧電デバイスにあっては、従来の支持応力フリータイプの
圧電振動素子を備えた圧電デバイスのように振動基板の自由端部とは反対側の端部に固定
部を設けない。本発明では、振動基板の自由端部１１Ｂ寄りの支持部２０に固定部３０を
設けたので、固定部と振動領域１１ａとの間に支持応力をキャンセルするに十分な距離を
確保することができる。固定部３０は、他方の分割領域Ｔ２内に位置する支持部の特定部
位に設けることにより、振動領域への悪影響を回避することができる。また、第１の凸部
５０を表面実装用基板側に設けて圧電基板の自由端寄りの支持部と対向配置することによ
り、仮に支持部が第１の凸部に接触したとしても接触部からの応力が振動領域に伝搬され
て共振周波数を変動させる不具合を解消することができる。支持部を第１の凸部に接触さ
せた状態での組付けが可能となることにより、組付け手数を低減して生産性を向上できる
。また、支持部を第１の凸部と常時接触させることにより、圧電振動素子をパッケージ等
に収納する際にパッケージの薄型化を達成することが可能となる。
【００４２】
また、第１の凸部を配置する位置として、支持部２０を構成する梁部２１の特定部位と
対向する表面実装用基板面を選定することにより、梁部と第１の凸部との接触部からの応
力が振動領域に伝搬することを確実に防止することが可能となる。
また、表面実装用基板側に第１の凸部を設ける代わりに、表面実装用基板面と対向する
支持部の適所に第１の凸部を配置することにより、支持部側に設けた第１の凸部に枕部材
としての機能を発揮させるようにしてもよい。圧電振動素子を表面実装用基板面に固定す
る際における組付け手数の低減と、パッケージの薄型化を達成することが可能となる。
また、第１の凸部を配置する位置を支持部を構成する梁部２１に選定することにより、
第１の凸部と表面実装用基板との接触部から振動領域が十分に離間することとなり、振動
領域への影響を回避することができる。支持部側に設けた第１の凸部を表面実装基板側に
設けた第１の凸部と対面、接触させるように構成してもよい。
【００４３】
また、圧電デバイスの落下時等に圧電振動素子に加わる衝撃によって圧電振動素子が捻
れ方向に変形すると、いずれか一方の第１の凸部と圧電振動素子との接触部を支点として
応力が発生し、梁部、或いは振動基板が折損する虞がある。本発明では、振動基板の変形
時にその自由端と接触して緩衝する第２の凸部を設けたので、折損の発生を防止できる。
また、第１の凸部の設置箇所は、梁部の先端部よりも第２の凸部寄りの部位と対向する
表面実装用基板面に設けてもよい。
また、第１の凸部の設置箇所は、梁部の先端部よりも第２の凸部寄りの部位に設けても
よい。
本発明に係る圧電デバイスとして上記実施形態では、圧電振動子（水晶振動子）を例示
したが、圧電振動子に発振回路を組み付けた構造の圧電発振器にも本発明を適用すること
ができる。
【符号の説明】
【００４４】
１…圧電デバイス（水晶振動子）、２…水晶振動素子（圧電振動素子）、２ａ…基端部
、２ａ…固定側端部、３…パッケージ、４…パッケージ本体（表面実装用基板）、４ａ…
凹所、４ｂ…実装端子、４Ａ…表面実装用基板、４Ｂ…キャップ、５…リッド、６…素子
搭載パッド、７…導電性接着剤、Ｌ１…対称軸、Ｌ２…中心線、Ｔ１、Ｔ２…分割領域、
１０…圧電基板（水晶基板）、１１…振動基板、１１Ａ…基端部、１１Ｂ…自由端、１１
ａ…振動領域、１２…スリット、２０…支持部、２１…梁部、２１ａ…基端部、２１ｂ…
先端部、２２…連結梁部、２５…連結部、２６…突出部、３０…固定部、４５…励振電極
、４６…リード端子、４６ａ…端部、５０…第１の凸部、５１…第２の凸部、５５…第１
の凸部
【図１】
2011040981.tif 000003
【図２】
2011040981.tif 000004
【図３】
2011040981.tif 000005
【図４】
2011040981.tif 000006
【図５】
2011040981.tif 000007
【図６】
2011040981.tif 000008